(57)【特許請求の範囲】
【請求項１】
バイタルサインデータと、関連する医療行為データの表示を統合するためのシステムであって、当該システムは：
患者のバイタルサインの測定値を受け取り；
前記バイタルサインの傾向を示す、経時的な前記測定値のグラフを表示し；
前記バイタルサインに影響を与える医療行為を説明するデータを受け取り；
前記グラフ上に前記医療行為の時間に前記医療行為のインジケータを表示し、前記インジケータがユーザによって選択可能である；
ように構成される、少なくとも１つのプロセッサ、
を備え、前記少なくとも１つのプロセッサは、前記インジケータのユーザ選択に応答して、前記医療行為に関する追加の詳細を表示する、システム。
【請求項２】
医療行為影響予測モデルを更に含み、
前記少なくとも１つのプロセッサは、
前記医療行為影響予測モデルから様々な時間における前記バイタルサインに対する前記医療行為の影響の予測値を受け取り；
経時的かつ前記測定値と時間的に同期させて、前記予測値を前記グラフ上に表示する；
ように更に構成される、請求項１に記載のシステム。
【請求項３】
医療行為影響予測モデルを更に含み、
前記少なくとも１つのプロセッサは、
前記医療行為影響予測モデルから様々な時間における前記バイタルサインに対する前記医療行為の影響の予測値を受け取り；
前記予測値に基づき前記グラフに表示される測定値の傾向線及び／又はマーカをコード化する；
ように更に構成される、請求項１に記載のシステム。
【請求項４】
前記少なくとも１つのプロセッサは、
前記測定値を表すマーカと前記予測値を表すマーカとを、前記グラフ上に同時に表示するように更に構成され、
前記測定値のマーカは、前記予測値のマーカと異なる、
請求項２に記載のシステム。
【請求項５】
前記少なくとも１つのプロセッサは、
前記予測値に基づいて患者の重症度の範囲を前記グラフの背景内に経時的に表示すること；
前記測定値を表し、かつ患者の重症度の範囲に基づいてコード化されるマーカを、前記グラフ上に表示することであって、前記患者の重症度の範囲が前記予測値に基づくこと；及び
前記マーカを接続し、かつ前記患者の重症度の範囲に基づいてコード化される傾向線を表示すること；
のうちの少なくとも１つを行うように更に構成される、
請求項２又は４に記載のシステム。
【請求項６】
前記医療行為は、前記患者に対して実施済みのものであり、前記医療行為の時間は、前記医療行為が前記患者に対して実施された時間である、
請求項１乃至５のいずれか一項に記載のシステム。
【請求項７】
前記医療行為は、前記患者に対する実施の推奨であり、前記医療行為の時間は、実施について前記医療行為が推奨される時間である、
請求項１乃至６のいずれか一項に記載のシステム。
【請求項８】
前記インジケータは、前記医療行為のタイプに特有のアイコンである、
請求項１乃至７のいずれか一項に記載のシステム。
【請求項９】
前記医療行為に関する追加の詳細は、薬の識別情報、薬の強さ、薬の投与量、薬を日々投与すべき回数、処方臨床医、薬の開始日及び／又は時間、患者の電子医療記録（EMR）へのリンクを含む、
請求項１乃至８のいずれか一項に記載のシステム。
【請求項１０】
前記少なくとも１つのプロセッサを含む患者モニタ；及び
前記少なくとも１つのプロセッサを含むリモートの患者モニタリングステーション；
のうちの一方を更に含む、
請求項１乃至９のいずれか一項に記載のシステム。
【請求項１１】
バイタルサインデータと、関連する医療行為データの表示を統合するための方法であって、当該方法は：
患者のバイタルサインの測定値を受け取るステップと；
前記バイタルサインの傾向を示す、経時的な前記測定値のグラフを表示するステップと；
前記バイタルサインに影響を与える医療行為を説明するデータを受け取るステップと；
前記グラフ上に前記医療行為の時間に前記医療行為のインジケータを表示するステップと；
を備え、
前記インジケータはユーザによって選択可能であり、前記インジケータを表示するステップは、前記インジケータのユーザ選択に応答して、前記医療行為に関する追加の詳細を表示することを含む、方法。
【請求項１２】
様々な時間における前記バイタルサインに対する前記医療行為の影響の予測値を受け取るステップと；
前記グラフ上に経時的かつ前記測定値と時間的に同期させて、前記予測値を表示するステップと；
を更に含む、請求項１１に記載の方法。
【請求項１３】
様々な時間における前記バイタルサインに対する前記医療行為の影響の予測値を受け取るステップと；
前記予測値に基づき前記グラフに表示される測定値の傾向線及び／又はマーカをコード化するステップと；
を更に含む、請求項１１に記載の方法。
【請求項１４】
前記測定値を表すマーカと前記予測値を表すマーカとを、前記グラフ上に同時に表示するステップを更に含み、前記測定値のマーカは、前記予測値のマーカと異なる、
請求項１２に記載の方法。
【請求項１５】
前記予測値に基づいて患者の重症度の範囲を前記グラフの背景内に経時的に表示するステップ；及び
前記測定値を表し、かつ患者の重症度の範囲に基づいてコード化されるマーカを、前記グラフ上に表示するステップであって、前記患者の重症度の範囲が前記予測値に基づく、ステップ；
のうちの少なくとも一方を更に含む、請求項１２又は１４のいずれか一項に記載の方法。
【請求項１６】
請求項１１乃至１５のいずれか一項に記載の方法を実行するようプログラムされる、少なくとも１つのプロセッサ又はコンピュータ読取可能媒体。
【請求項１７】
バイタルサインデータと、関連する医療行為データの表示を統合するためのシステムであって、当該システムは：
ディスプレイデバイスと；
経時的な患者のバイタルサインの測定値のグラフを表示するように前記ディスプレイデバイスを制御する第１のモジュールであって、前記グラフが前記バイタルサインの傾向を示す、第１のモジュールと；
前記バイタルサインに影響を与える医療行為のインジケータを、前記医療行為の時間に前記グラフ上に表示するように、前記ディスプレイデバイスを制御する第２のモジュールと；
を備え、
前記インジケータはユーザによって選択可能であり、前記インジケータのユーザ選択に応答して、前記医療行為に関する追加の詳細が表示される、システム。
【発明の詳細な説明】
【技術分野】
【０００１】
本出願は、一般に患者モニタリングに関する。本出願は、医療行為（medical  intervention）を表示することに関連して特に適用され、特にこれに関連して説明されることになる。しかしながら、理解されるように、本出願は他の利用シナリオにも適用され、必ずしも上述の適用に限定されない。
【背景技術】
【０００２】
医療情報技術（HIT：health  information  technologies）及び電子医療記録（EMR：electronic  medical  record）技術の進歩とともに、患者を診断して治療する際に臨床医を助けるよう、ますます多くの患者データが利用可能になる。ネットワーク接続により、臨床医は、医療記録、投薬情報、病歴、バイタルサインデータといった患者データにいつでもどこでもアクセスすることができる。しかしながら、患者データは現在、統合的な方法で提示されていない。密接に関連しているとしても、異なるタイプの患者データが異なるデバイス上に格納され、かつ／又は異なるユーザインタフェース上に表示されることがある。
【０００３】
例えばバイタルサインデータと、投薬データ等の医療行為データは、臨床医が患者の状態を迅速かつ正確に評価するのを助けるようには一緒に表示されない。むしろ、バイタルサインデータと医療行為データは通常、別々に独立して格納され、表示される。バイタルサインデータは通常、連続する波形又は数字として、患者モニタデバイス又はリモートの患者モニタリングワークステーションに表示され、一方、医療行為データは通常、テキストドキュメント（例えば医師の命令又はメモ、あるいはＥＭＲ）として表示される。
【０００４】
医療行為がバイタルサインの変化を招く可能性があるので、臨床医は、バイタルサインデータだけでは、患者の状態を正確に評価することができないことがある。例えば高血圧の患者の血圧の低下は、患者の回復ではなく、患者に与えられた血管拡張剤による可能性がある。多くの場合、臨床医は、観察されたバイタルサインの変化が、薬等の医療行為によって引き起こされているかどうかを特定し、患者の現在の状態及び医療行為が効いているかどうかを評価するために、バイタルサイン表示とＥＭＲ表示を交互に切り替えなければならない。交互に切り替えている間、臨床医は、全ての関連する医療行為データについて検索し、次いで、これらの関連する医療行為を、時間領域内のバイタルサインデータと照合して同期させ、バイタルサインの変化が期待通りであるかどうかを判断する必要がある。このプロセスは非常に時間がかかり、臨床医のワークフローの効率性を大幅に低下させる。
【発明の概要】
【発明が解決しようとする課題】
【０００５】
本出願は、これらの問題及び他の問題を克服する新たな改善されたシステム及び方法を提供する。
【課題を解決するための手段】
【０００６】
本出願の一側面によると、バイタルサインデータと、関連する医療行為データの表示を統合するためのシステムが提供される。当該システムは、患者のバイタルサインの測定値を受け取り、バイタルサインの傾向を示す経時的な測定値のグラフを表示するように構成される、少なくとも１つのプロセッサを含む。少なくとも１つのプロセッサは更に、バイタルサインに影響を与える医療行為を説明するデータを受け取り、グラフ上の医療行為の時間に医療行為のインジケータを表示するように構成される。
【０００７】
本出願の別の側面によると、バイタルサインデータと、関連する医療行為データの表示を統合するための方法が提供される。当該方法は、患者のバイタルサインの測定値を受け取るステップと、バイタルサインの傾向を示す経時的な測定値のグラフを表示するステップを含む。方法は更に、バイタルサインに影響を与える医療行為を説明するデータを受け取るステップと、グラフ上の医療行為の時間に医療行為のインジケータを表示するステップを含む。
【０００８】
本出願の別の側面によると、バイタルサインデータと、関連する医療行為データの表示を統合するためのシステムが提供される。当該システムは、ディスプレイデバイスと、第１のモジュールと、第２のモジュールを含む。第１のモジュールは、経時的な患者のバイタルサインの測定値のグラフを表示するようにディスプレイデバイスを制御する。グラフは、バイタルサインの傾向を示す。第２のモジュールは、バイタルサインに影響を与える医療行為のインジケータを、その医療行為の時間にグラフ上に表示するように、ディスプレイデバイスを制御する。
【０００９】
１つの利点は、改善されるワークフロー効率にある。
【００１０】
別の利点は、改善される患者状態の評価にある。
【００１１】
本発明の更なる利点は、以下の詳細な説明を読み、理解すると、当業者に認識されるであろう。
【００１２】
本発明は、様々なコンポーネント及びコンポーネントの構成並びに様々なステップ及びステップの構成の形式をとることができる。図面は単に、好適な実施形態を例示する目的のためであり、本発明を限定するものとして解釈されるべきではない。
【図面の簡単な説明】
【００１３】
【図１】バイタルサインデータと、関連する医療行為データの表示を統合する患者モニタリングシステムを例示する図である。
【図２】バイタルサインの測定値と、バイタルサインに影響を与える医療行為のインジケータのグラフを例示する図である。
【図３】バイタルサインの測定値と、バイタルサインに影響を与える医療行為に関する詳細のグラフを例示する図である。
【図４】バイタルサインの測定値と、医療行為に起因するバイタルサインの単独の値予測（single  value  prediction）のグラフを例示する図である。
【図５】バイタルサインの測定値と、医療行為に起因するバイタルサインの予測値（prediction）に基づく患者の重症度の領域（region）のグラフを例示する図である。
【図６】バイタルサインの測定値と、医療行為に起因するバイタルサインの予測値に基づいてカラーコード化される測定値を接続する傾向線（trend  line）のグラフを例示する図である。
【図７Ａ】バイタルサインデータと、関連する医療行為データの表示を統合する患者モニタを例示する図である。
【図７Ｂ】バイタルサインデータと、関連する医療行為データの表示を統合するリモート患者モニタリングステーションを例示する図である。
【図８】バイタルサインデータと、関連する医療行為データの表示を統合する方法を例示する図である。
【発明を実施するための形態】
【００１４】
本発明は、薬物の投与のような、実施される医療行為（administered  medical  intervention）又は推奨される医療行為（recommended  medical  intervention）に関するデータを、関連するバイタルサインの測定値と一緒に表示する患者モニタリングシステムを説明する。患者のバイタルサインデータは、経時的なバイタルサインの傾向を示すグラフ上に表示され、医療行為は、時間軸に沿って同期されるグラフ上に表示される。実施される医療行為を測定値とともに表示することによって、臨床医は、患者の状態をより良く評価し、医療行為が効いているかどうかを判断することができる。
【００１５】
医療行為に起因する期待されるバイタルサインの変化は、自動又は臨床医により手動で、予測モデルによって定量的に予測される。予測値は、測定値と一緒にグラフ上にプロットされ、実施される医療行為の場合、患者の状態のより完全なビューを提供する。あるいは、実施される医療行為の場合、予測値を、対応する測定値についての基準（reference）として用いることができる。測定値の代表的なマーカ及び／又は傾向線を、予測値に基づいてカラーコード化することができ（例えば正常（normal）については黒又は緑、中等度（moderate）の悪化については黄色、高度（severe）な悪化については赤）、臨床医が全ての患者の状態変化を迅速にとらえるよう助けることができる。さらに、異なる患者状態（例えば正常、中等度の悪化及び高度の悪化）に対応し、かつ予測値に基づく数値的範囲又は限度を、図式的に表示することができる。
【００１６】
図１を参照すると、バイタルサインデータと、関連する医療行為データの表示を統合する患者モニタリングシステム１０が図示されている。実施又は推奨される医療行為に関するデータ（すなわち、医療行為データ）は、その医療行為がバイタルサインに影響を与える可能性がある場合、そのバイタルサインの測定値（すなわち、バイタルサインデータ）に関連する。例えば患者に与えられる血管拡張剤は、患者の血圧に影響を与える可能性がある。
【００１７】
バイタルサインデータは、経時的に、１つ以上のバイタルサインデータソース１４から、典型的にはリアルタイムで受け取られる１２。バイタルサインデータソース１４は、患者のバイタルサインの測定値のソースである。バイタルサインの例には、収縮期血圧（SBP）、心拍（HR）、酸素飽和度（SpO2）、平均動脈圧（MAP）等が含まれる。バイタルサインデータソース１４の例には、患者データリポジトリ、患者モニタ、バイタルサインセンサ（例えばSpO2センサ又はECGセンサ）、（例えば臨床医の入力のための）ユーザ入力デバイス等が含まれる。典型的に、バイタルサインデータソース１４は、バイタルサインセンサ又は患者モニタである。
【００１８】
バイタルサインデータと同様に、医療行為データは、経時的に、１つ以上の医療行為データソース１８から受け取られる１６。医療行為データソース１８は、患者に対して実施されるか、患者に対する実施が推奨される医療行為に関するデータのソースである。医療行為の例には、薬剤及び液体（fluid）の投与、並びに人工呼吸器を有効又は無効にすることが含まれる。医療行為データソース１８の例には、患者データリポジトリ、患者モニタ、（例えば臨床医の入力のための）ユーザ入力デバイス、臨床決定支援システム等が含まれる。典型的に、実施される医療行為についての医療行為データソース１８は、患者データリポジトリであり、推奨される医療行為についての医療行為データソース１８は、典型的に患者のバイタルサイン及び医療記録に対する推奨を基準として用いる臨床決定支援システムである。
【００１９】
受け取ったバイタルサインデータは、ディスプレイデバイス２４を使用して、患者モニタリングシステム１０のディスプレイ２２上に表示される２０。ディスプレイ２２は、バイタルサインデータのための１つ以上のバイタルサインウィンドウ２６を含む。バイタルサインウィンドウ２６は、患者のバイタルサインの表示に割り当てられるディスプレイ２２の領域、典型的には、ディスプレイ２２のサブセットである。図示されるように、ディスプレイ２２は、複数のバイタルサインウィンドウ２６を含み、HR用のバイタルサインウィンドウ（すなわち60）、SpO2用のバイタルサインウィンドウ（すなわち98%）及び非侵襲的血圧用のバイタルサインウィンドウ（すなわち、気圧90水銀柱ミリメートル（mmHg）で120/80mmHｇ）がある。ディスプレイ２２は更に、例示される心電図（ECG）及び容積脈波（plethysmogram）のような他のタイプの患者データについて、１つ以上の追加のウィンドウ２８を含むことができる。
【００２０】
図２〜図６を更に参照すると、バイタルサインの測定値は典型的に、２つのディスプレイモードのうちの一方に従って、対応するバイタルサインウィンドウ２６内に表示される。第１のディスプレイモードによると、バイタルサインの測定値は、経時的なバイタルサインの傾向を示すグラフ３０上に時間の関数として表示される。グラフ３０の縦軸（independent  axis）はバイタルサインの値を表し、横軸（dependent  axis）は時間を表す。マーカ３２は、グラフ３０上の測定値の位置を表すのに使用される。一部の例において、グラフ３０は、グラフ化される測定値を接続する傾向線３４を含む。第２の表示モードによると、図１に図示されるように、バイタルサインの最も最近の測定値のみが表示される。
【００２１】
一部の例において、患者モニタリングシステム１０のユーザは、ユーザ入力デバイス３６を使用して２つのディスプレイモードの間をトグルすることができる。トグルは、トグルボタンを選択することにより、開始することができる。あるいは、トグルは、第１のモードボタン（すなわち、第１のモードに入るボタン）と、第２のモードボタン（すなわち、第２のモードに入るボタン）のうちの適切な一方を選択することにより、開始することができる。例えばバイタルサインウィンドウ２６が最初に最近の測定値のみを表示しているとすると、バイタルサインウィンドウ２６内の領域を選択することにより、最近の測定値が、経時的なバイタルサインの傾向を示すグラフ３０と置換される。その後、バイタルサインウィンドウ２６の外部の領域を選択することにより、バイタルサインの最近の測定値のみを表示するバイタルサインウィンドウ２６に戻る。
【００２２】
第１の表示モードによるバイタルサインのグラフ３０は更に、統合されるバイタルサインに関連する、受け取った医療行為データとともに表示される３８。上記のように、医療行為に関するデータ（すなわち、医療行為データ）は、その医療行為データがバイタルサインに影響を与える可能性がある場合、バイタルサインの測定値（すなわち、バイタルサインデータ）に関連する。さらに、上記のように、医療行為は、実施される医療行為又は推奨される医療行為とすることができる。
【００２３】
図２を参照すると、医療行為データは、医療行為データの１つ以上の医療行為の各々を、その医療行為に対応するグラフ３０の時間軸上に沿った時間にグラフ３０上のアイコン４０として表示することにより表示される。実施される医療行為の対応する時間は、医療行為が実施された時間であり、推奨される医療行為の対応する時間は、医療行為を実施するために推奨される時間である。例えば図示されるように、患者のMAPの傾向が14時間にわたって示されており、時間10におけるアイコン４０は、時間10における患者への薬の投与を表す。一部の例では、異なるアイコン４０を使用して、薬や人工呼吸器からの離脱等のような異なるタイプの医療行為を表すことができる。例えば薬の投与は錠剤のアイコン４０を使用し、液体の投与は、点滴（IV）バッグのアイコン４０を使用することができる。
【００２４】
図３を参照すると、一部の例において、ユーザは、ユーザ入力デバイス３６（図１を参照されたい）を使用して、医療行為を表すアイコン４０を選択（例えばクリック）し、その医療行為に関する更なる詳細を取得することができる。追加のデータを、図示されるように、アイコン位置にアンカーされるツールチップ４２内に表示することができ、あるいはユーザ選択に応答して開かれる新たなウィンドウ内に表示することができる。表示することができる追加のデータには、薬の識別情報（例えば薬の名前）、薬の強さ、薬の投与量、その薬を日々投与すべき回数、処方臨床医、その薬の開始日及び／又は時間、患者の電子医療記録（EMR）へのリンク、のうちの１つ以上が含まれる。
【００２５】
図１の参照に戻ると、バイタルサインについてのグラフ３０（図２〜図６を参照されたい）は更に、バイタルサインに影響を与える１つ以上の実施される医療行為についての、医療行為影響予測データ（medical  intervention  effect  prediction  data）とともに表示され得る４４。医療行為影響予測データは、実施される医療行為がバイタルサインに対して有する影響に関するデータである。表示される医療行為影響予測データは、実施される医療行為によって影響される、表示されるバイタルサインの測定値の１つ以上の時間的範囲にわたる予測値、例えば実施される医療行為によって影響される、各々表示されるバイタルサイン測定値の時間における予測値を含む。ある時点についての予測値は、単独の予測される値（single,  predicted  value）を含むことがあり、あるいは、正常な範囲、中等度のワーニング範囲及び高度のワーニング範囲のような異なる患者状態に対応する予測値の範囲を含むこともある。医療行為影響予測データの表示は、自動的に又はユーザ入力デバイス３６を使用して臨床医により手動でトリガされ得る。
【００２６】
医療行為影響予測データは、薬物動態／薬力学（PK/PD）モデルのような、医療行為影響予測モデル４８から受け取られる４６。医療行為影響予測モデル４８が、実施される医療行為のバイタルサインに対する影響を予測する具体的なアプローチは、本出願の範囲を超える。しかしながら、実施される医療行為のバイタルサインに対する影響を予測するために任意の周知のモデルを用いることができる。さらに、医療行為影響予測モデル４８を使用して、バイタルサインに対する、複数の医療行為の組合せの影響を予測することができる。
【００２７】
図４を参照すると、受け取った医療行為影響予測データの予測値が、単独の予測される値であるとき、これらの予測値を、時間の関数としてグラフ３０上にプロットし、予測値の傾向を示すことができる。その目的のために、マーカ５０が、グラフ３０上の予測値の位置を表すのに使用される。予測値のマーカ５０は典型的に、測定値のマーカ３２とは異なる。例えば「X」及びひし形を、それぞれグラフ３０上の予測値及び測定値を表すのに使用することができる。一部の例では、グラフは、グラフ化される予測値を接続する傾向線５２を含む。予測値のマーカ５０と同様に、予測値の傾向線５２は典型的に、測定値の傾向線３４とは異なる。例えば予測される傾向線５２を緑（一般的に「正常」に関連付けられる色）で表示し、一方、測定される傾向線３４を黒で表示することができる。予測及び測定されるマーカ３２、５０及び／又は予測及び測定される傾向線３４、５２の視覚的比較を通して、臨床医は、患者の状態が正常であるかどうかを容易に判断することができる。
【００２８】
図５を参照すると、高度、中等度及び正常のような異なる患者の状態に対応する範囲を、時間の関数としてグラフ３０上に表示することができる。その範囲は、受け取った医療行為影響予測データの予測範囲に対応し、あるいは、受け取った医療行為影響予測データの単独の予測値を中心とする、臨床医によりユーザ入力デバイス３６を使用して予め定義される範囲に対応することがある。例えば臨床医は、正常範囲を、予測値の+/-5%の範囲として定義し、中等度の異常範囲を予測値の5%から15%の範囲又は-15%から-5%の範囲として定義することができる。
【００２９】
範囲は、その範囲によって覆われるグラフ３０の領域５４、５６、５８を（例えば背景色で）一意に識別することにより表示される。例えば緑の領域５６を正常範囲に使用することができ、黄色の領域５４、５８を中等度の異常範囲に使用することができ、赤の領域を高度の異常範囲に使用することができる。このようにして、臨床医は、バイタルサインの測定値がどの範囲内にあるかを容易に見分けて、患者の状態を評価することができる。図示されるように、バイタルサインの測定値は、経時的に正常範囲内にとどまっているが、時間17の周囲では、中等度の異常範囲に近づいている。
【００３０】
図６を参照すると、測定値の傾向線３４及び／又はマーカ３２を、予測値に基づいて（例えば色、パターン、形状等を使用して）コード化することができる。特に、測定値の傾向線３４及び／又はマーカ３２のセグメント６０、６２、６４は、患者の重症度の対応する範囲に基づいて表示される。例えば測定値が正常範囲内にある場合、正常範囲についてのマーカ３２は、その測定値を表すのに使用される。別の例として、傾向線３４のセグメント６０、６２、６４が高度の異常範囲内にある場合、セグメント６０、６２、６４は、その高度の異常範囲について定義された方法で（例えば赤線の色を使用して）表示される。範囲は、受け取った医療行為影響予測データの予測範囲に対応し、あるいは、受け取った医療行為影響予測データの単独の予測値を中心とする、臨床医によってユーザ入力デバイスを使用して予め定義される範囲に対応することがある。図示されるように、患者のMAPは、時間7〜13まで高度に異常である。その後、患者のMAPは時間13〜16では中等度に異常であり、患者のMAP、時間16〜20では正常である。
【００３１】
データを受け取って表示するという前述の動作１２、１６、２０、３８、４６、４４はそれぞれ、ソフトウェアモジュール、ハードウェアモジュール又はハイブリットのソフトウェア及びハードウェアモジュールである。ある動作のためのソフトウェアモジュールは、患者モニタリングシステム１０の１つ以上のプロセッサ６８によって実行され、かつプロセッサ６８に関連付けられる患者モニタリングシステム１０の１つ以上のメモリ７０に格納される、ソフトウェアである。プロセッサ６８は、メモリ７０上でソフトウェアを実行することによりその動作を実行する。あるアクションのためのハードウェアモジュールは、アクションを実行するデバイスである。ハイブリッドのソフトウェア及びハードウェアモジュールは、ソフトウェアモジュール及びハードウェアモジュールを含む。典型的に、データを受け取って表示する動作１２、１６、２０、３８、４６、４４は、図示されるように、１つ以上の関連するメモリ７０上に格納されるソフトウェアを実行する１つ以上のプロセッサ６８によって実行される。
【００３２】
データを受け取って表示するという上述の動作１２、１６、２０、３８、４６、４４に加えて、医療行為影響予測モデル４８は、ソフトウェアモジュール、ハードウェアモジュール又はハイブリットのソフトウェア及びハードウェアモジュールによって具現化される。ソフトウェア、ハードウェア及びハイブリットのモジュールは上述のとおりである。一部の例において、医療行為影響予測モデル４８は、データを受け取って表示する動作１２、１６、２０、３８、４６、４４を実行する同じプロセッサ６８によって実行されるソフトウェアモジュールによって実装される。この例では、医療行為影響予測モデル４８は、データを受け取って表示する動作１２、１６、２０、３８、４６、４４を具現化するソフトウェアモジュールを格納する同じメモリ７０上に格納されるソフトウェアとすることができる。
【００３３】
図７Ａを参照すると、患者モニタリングシステム１０は、ベッドサイド／ポータブル患者モニタデバイスのような患者モニタ７２を含む。患者モニタ７２は、１つ以上のメモリ７０上に格納される動作１２、１６、２０、３８、４６、４４を具現化するソフトウェアを実行する１つ以上のプロセッサ６８によって、統合的な方法で、データを受け取って表示する前述の動作１２、１６、２０、３８、４６、４４を実行する。患者モニタ７２は、バイタルサインデータの少なくとも一部を、患者モニタ７２の１つ以上のセンサ７４からローカルで受け取る。センサ７４には、例えばSpO2センサが含まれる。さらに、患者モニタ７２は典型的に、医療行為データを、リモートの患者データリポジトリ７６から、ネットワークインタフェース８０を使用して通信ネットワーク７８を介して受け取る。リモートの患者データリポジトリ７６は典型的に、EMR及び他の患者医療データを含む。患者モニタ１０のコンポーネント２４、３６、４８、６８、７０、７４、８０は、１つ以上のデータバス８２によってローカルで適切に相互接続される。
【００３４】
図７Ｂを参照すると、患者モニタリングシステム１０は、リモートの患者モニタリングステーション８４を含む。リモートの患者モニタリングステーション８４は、１つ以上のメモリ７０上に格納される動作１２、１６、２０、３８、４６、４４を具現化するソフトウェアを実行する１つ以上のプロセッサ６８によって、統合的な方法で、データを受け取って表示する前述の動作１２、１６、２０、３８、４６、４４を実行する。リモートの患者モニタリングステーション８４は、バイタルサインデータの少なくとも一部を、１つ以上の患者モニタ８６からリモートに受け取る。さらに、リモートの患者モニタリングステーション８４は典型的に、医療行為データを、リモートの患者データリポジトリ７６から受け取る。リモートのデータは、ネットワークインタフェース８８を使用して通信ネットワーク７８を介して受け取られる。リモートの患者モニタリングステーション８４のコンポーネント２４、３６、４８、６８、７０、８８は、１つ以上のデータバス９０によってローカルで適切に相互接続される。
【００３５】
図８を参照すると、バイタルサインデータと、関連する医療行為データの表示を統合する方法１００が図示されている。実施又は推奨される医療行為に関するデータは、その医療行為がバイタルサインに影響を与える可能性がある場合、バイタルサインの測定値に関連する。方法１００は典型的に、図７Ａの患者モニタ７２又は図７Ｂのリモート患者モニタリングステーション８４によって実行されるが、図１に図示されるようにより広い適用性がある。
【００３６】
方法１００は、経時的な患者のバイタルサインの測定値を、典型的にはリアルタイムで受け取ること１０２を含む。例えば新たな測定値を毎秒受け取ることができる。バイタルサインデータは典型的に、バイタルサインセンサ又は患者モニタから受け取られる。患者に対して与えられ、かつバイタルサインに関連する実施又は推奨される医療行為を説明するデータを更に受け取る１０４。医療行為は、その医療行為が、例えばバイタルサインを上昇又は低下させることにより、バイタルサインに影響を与える場合、バイタルサインに関連する。医療行為データは典型的に、患者データリポジトリから受け取られる。
【００３７】
受け取ったデータを使用して、経時的なバイタルサイン測定値のグラフが、バイタルサイン測定値を接続するオプションの傾向線を用いて、ディスプレイデバイス上に表示される１０６。測定値は、例えばマーカを用いてグラフ上に表示される。さらに、医療行為の指示が、医療行為の時間にグラフ上に表示される１０８。医療行為が、実施される医療行為である場合、医療行為の時間は、その医療行為が実施された時間である。医療行為が、推奨される医療行為である場合、医療行為の時間は、その医療行為を実行するために推奨される時間である。医療行為は、例えばアイコンを用いて表示される。ユーザ入力デバイスを用いてアイコンを選択し、その医療行為に関する更なる詳細を表示することができる。さらに、アイコンは、医療行為のタイプに応じて変えることができる。
【００３８】
一部の例では、医療行為が、実施される医療行為であるとき、バイタルサインに対する医療行為の影響を示す予測値を受け取る１１０。予測値は、典型的に、バイタルサイン測定値の各時点ごとに受け取られる。さらに、予測値は、単独の値とすることができ、あるいは正常、中等度の異常及び高度の異常といった異なる重症度に対応する値の範囲とすることができる。予測値は典型的に、医療行為影響予測モデルから受け取られる。受け取った予測値を、バイタルサイン測定値と時間的に同期させて時間とともにグラフ上に表示する１１２。
【００３９】
予測値が単独の値の場合、予測値を、その予測値を接続する傾向線を用いて経時的にグラフ上にプロットすることができる。あるいは、予測値は、例えばカラーコード化されたゾーンのように、患者の重症度の範囲に対応するコードゾーンとして、グラフ上に表示することができる。予測値が単独の値の場合、範囲は、臨床医によって予測値に基づいて定義される。例えば正常な範囲は、予測値の+/-5%である。予測値が範囲の場合、これらの範囲が使用される。あるいは、患者の重症度の対応する範囲に基づいて、バイタルサイン測定値の傾向線の予測及び／又はセグメントのマーカを、例えばカラーコード化のようにコード化することによって、予測値をグラフ上に表示することができる。例えば患者の重症度の異なる範囲に対応するセグメントを、異なる色に割り当てることができる。
【００４０】
方法１００の上述の動作１０２、１０４、１０６、１０８、１１０、１１２はそれぞれ、ソフトウェアモジュール、ハードウェアモジュール又はハイブリットのソフトウェアとハードウェアモジュールである。ある動作のためのソフトウェアモジュールは、患者モニタリングシステムの１つ以上のプロセッサによって実行され、かつそのプロセッサに関連付けられる患者モニタリングシステムの１つ以上のメモリに格納される、ソフトウェアである。プロセッサは、メモリ上でソフトウェアを実行することによりその動作を実行する。あるアクションのためのハードウェアモジュールは、アクションを実行するデバイスである。ハイブリッドのソフトウェア及びハードウェアモジュールは、ソフトウェア及びハードウェアモジュールを含む。
【００４１】
本明細書で使用されるとき、メモリは、ランダムアクセスメモリ（RAM）又は読取専用メモリ（ROM）のような、データを格納する任意のデバイス又はシステムを含む。さらに、本明細書で使用されるとき、プロセッサは、マイクロプロセッサ、マイクロコントローラ、グラフィック処理ユニット（GPU）、特定用途向け集積回路（ASIC）、FPGA等のように、出力データを生成するよう入力デバイスを処理する任意のデバイス又はシステム含む。コントローラは、別のデバイス又はシステムを制御する任意のデバイス又はシステムを含む。ユーザ入力デバイスは、マウスやキーボードのように、ユーザ入力デバイスのユーザが別のデバイス又はシステムに入力を提供することを可能にする、任意のデバイスを含む。ディスプレイデバイスは、液晶ディスプレイ（LCD）又は発光ダイオード（LED）ディスプレイのような、データを表示するための任意のデバイスを含む。
【００４２】
本発明は、好ましい実施形態との関連で説明されている。上記の詳細な説明を読み、理解すると、他者には修正及び変更が想起されるであろう。そのような修正及び変更が、添付の特許請求の範囲及びその均等の範囲内にある限りにおいて、本発明はそのような修正及び変更を全て含むように解釈されるよう意図される。
【図１】
0006467428.tif 000002
【図２】
0006467428.tif 000003
【図３】
0006467428.tif 000004
【図４】
0006467428.tif 000005
【図５】
0006467428.tif 000006
【図６】
0006467428.tif 000007
【図７Ａ】
0006467428.tif 000008
【図７Ｂ】
0006467428.tif 000009
【図８】
0006467428.tif 000010